【手続補正書】
【提出日】平成30年4月2日(2018.4.2)
【手続補正１】
【補正対象書類名】特許請求の範囲
【補正対象項目名】全文
【補正方法】変更
【補正の内容】
【特許請求の範囲】
【請求項１】
原稿を読み取るためのスキャナユニットを有する画像処理装置であって、
前記スキャナユニットを構成する検出素子の特性に応じた処理、並びに、前記スキャナユニットで読み取った画像から印刷のための記録画像データを生成するための画像処理を行う、互いに並列して処理可能な第１の処理ユニットと第２の処理ユニットとを有し、
前記第１、第２の処理ユニットそれぞれは、
前記スキャナユニットにおける自身が担当する読取範囲の各検出素子の特性に関する情報を検出する検出手段と、
他方の処理ユニットで検出した特性に関する情報を受信することで、自身が担当する読取範囲を超える特性に関する情報を取得する取得手段と、
前記検出手段、及び、前記取得手段で得られた特性に関する情報に基づき、前記スキャナユニットで読み取られた画像データにおける、自身が担当する印刷範囲の部分画像データを補正して、前記記録画像データを生成する画像処理手段と
を有することを特徴とする画像処理装置。
【請求項２】
前記検出手段は、自身が担当する読取範囲における予め設定された、とびとびの位置の検出素子の読み取りに関する特性を検出し、
前記画像処理手段は、自身が検出した検出素子の特性に関する情報、他方の処理ユニットが検出した検出素子の特性に関する情報から、線形補間することで非検出素子の特性を推定し、推定した各検出素子の特性に従ったフィルタを用いて、前記スキャナユニットで読み取られた画像データにおける該当する画素を補正する
ことを特徴とする請求項１に記載の画像処理装置。
【請求項３】
前記特性に関する情報は、前記スキャナユニットの検出素子における解像力を示す情報であって、
前記画像処理手段が用いるフィルタはエッジ強調フィルタであることを特徴とする請求項１又は２に記載の画像処理装置。
【請求項４】
前記スキャナユニットは、前記第１の処理ユニットが担当する読取範囲の読み取る第１のセンサアレイと、前記第２の処理ユニットが担当する読取範囲の読み取る第２のセンサアレイとを有し、且つ、読取り対象の原稿の搬送方向に直交する方向に並列に、且つ、前記直交する方向の読取り範囲が互いに重複しないように並ぶ構成を有し、
前記第１、第２の処理ユニットそれぞれの前記検出手段は、
前記スキャナユニットで予め設定されたパターン原稿を読み取って得た、自身が担当する読取範囲の境界部におけるパターンに関する情報を更に検出し、
前記第１、第２の処理ユニットそれぞれの前記取得手段は、
他方の処理ユニットで検出した前記境界部におけるパターンに関する情報を受信することで、自身が担当する読取範囲を超えるパターンに関する情報を取得する取得手段と、
前記第１、第２の処理ユニットそれぞれの前記画像処理手段は、
前記検出手段、及び、前記取得手段で得られたパターンに関する情報に基づき、前記スキャナユニットを構成する前記第１のセンサアレイと前記第２のセンサアレイ間の隙間を判定し、当該隙間に対応する画素を補間する補間手段を含む
ことを特徴とする請求項１乃至３のいずれか１項に記載の画像処理装置。
【請求項５】
前記スキャナユニットは、前記第１の処理ユニットが担当する読取範囲の読み取る第１のセンサアレイと、前記第２の処理ユニットが担当する読取範囲の読み取る第２のセンサアレイとを有し、且つ、読み取り対象の原稿の搬送方向に直交する方向に並列に、且つ、前記直交する方向の読取範囲の一部分が互いに重複するように並ぶ構成を有し、
前記第１、第２の処理ユニットそれぞれの前記検出手段は、
前記スキャナユニットで、所定の濃淡パターンを有する原稿を読み取って得た各検出素子の輝度値を検出し、
前記第１、第２の処理ユニットそれぞれの前記取得手段は、
他方の処理ユニットで検出した前記重複する部分の輝度値を受信し、
前記第１、第２の処理ユニットそれぞれの前記画像処理手段は、
前記検出手段、及び、前記取得手段で得られた前記重複する部分の輝度値から、当該重複する部分におけるダイナミックレンジの広いのが前記第１、第２のセンサアレイのいずれであるかを判定する判定手段と、
自身が担当するセンサアレイの方がダイナミックレンジの広い場合には、ダイナミックレンジが狭い方の輝度値に変換することで、自身が担当する画像を補正する手段とを有する
ことを特徴とする請求項１乃至３のいずれか１項に記載の画像処理装置。
【請求項６】
前記第１の処理ユニット、前記第２の処理ユニットはＡＳＩＣで構成されることを特徴とする請求項１乃至５のいずれか１項に記載の画像処理装置。
【請求項７】
前記スキャナユニットで読み取った画像を分割し、前記第１、第２の処理ユニットに分配すると共に、装置全体の制御を司るコントローラとして機能するＡＳＩＣを更に有することを特徴とする請求項６に記載の画像処理装置。
【請求項８】
更に、複数のインクを吐出するノズルが、記録紙の搬送方向に直交する主走査方向に並んだプリントユニットを有し、
前記第１、第２の処理ユニットそれぞれは、前記プリントユニットで印刷する範囲を、前記主走査方向に分割した各領域の前記記録画像データを生成することを特徴とする請求項１乃至７のいずれか１項に記載の画像処理装置。
【請求項９】
原稿を読み取るためのスキャナユニットと、
前記スキャナユニットを構成する検出素子の特性に応じた処理、並びに、前記スキャナユニットで読み取った画像から印刷のための記録画像データを生成するための画像処理を行う、互いに並列して処理可能な第１の処理ユニットと第２の処理ユニットとを有する画像処理装置の制御方法であって、
前記第１、第２の処理ユニットそれぞれは、
前記スキャナユニットにおける自身が担当する読取範囲の各検出素子の特性に関する情報を検出する検出工程と、
他方の処理ユニットで検出した特性に関する情報を受信することで、自身が担当する読取範囲を超える特性に関する情報を取得する取得工程と、
前記検出工程、及び、前記取得工程で得られた特性に関する情報に基づき、前記スキャナユニットで読み取られた画像データにおける、自身が担当する印刷範囲の部分画像データを補正して、前記記録画像データを生成する画像処理工程と
を実行することを特徴とする画像処理装置の制御方法。
【手続補正２】
【補正対象書類名】明細書
【補正対象項目名】０００７
【補正方法】変更
【補正の内容】
【０００７】
この課題を解決するため、例えば本発明の画像処理装置は以下の構成を備える。すなわち、
原稿を読み取るためのスキャナユニットを有する画像処理装置であって、
前記スキャナユニットを構成する検出素子の特性に応じた処理、並びに、前記スキャナユニットで読み取った画像から印刷のための記録画像データを生成するための画像処理を行う、互いに並列して処理可能な第１の処理ユニットと第２の処理ユニットとを有し、
前記第１、第２の処理ユニットそれぞれは、
前記スキャナユニットにおける自身が担当する読取範囲の各検出素子の特性に関する情報を検出する検出手段と、
他方の処理ユニットで検出した特性に関する情報を受信することで、自身が担当する読取範囲を超える特性に関する情報を取得する取得手段と、
前記検出手段、及び、前記取得手段で得られた特性に関する情報に基づき、前記スキャナユニットで読み取られた画像データにおける、自身が担当する印刷範囲の部分画像データを補正して、前記記録画像データを生成する画像処理手段とを有する。